(57)【要約】      （修正有）【課題】清掃準備・清掃作業が簡単に行える真空チャンバーを提供すること。【解決手段】下側ボックス31は、下側フィルムに形成された収納凹部が挿入される凹所35を備えたボックス本体33と、ボックス本体の下方の前後両角部に着脱可能な状態で装着される第一ブロック40と、第二ブロック41を有する。ボックス本体は、凹所の周壁36内に上下に延びる複数の第一縦孔部43と、第一縦孔部の下端に接続され、両端がボックス本体の前後端に開口する第一貫通孔と、凹所に開口し上下に延びる第二縦孔部44と、第二縦孔部の下端に接続され、後端に開口する第一横孔部を備える。第一ブロックと第二ブロックは、ボックス本体の前端と後端に取り付けているので、簡単に着脱が行える。両二ブロックを取り外した状態では第一貫通孔の両端が開口し、一方から洗浄液を供給して簡単に洗浄できる。【選択図】図２
2019014522.tif 000002
【特許請求の範囲】
【請求項１】
重ね合わされた下側フィルムと上側フィルムを挟んだ状態で対向配置される下側ボックスと上側ボックスを備えた深絞り包装機に用いられる真空チャンバーであって、
前記下側ボックスは、前記下側フィルムに形成された収納凹部が挿入される凹所を備えたボックス本体と、そのボックス本体のフィルム搬送方向の前端に着脱可能な状態で装着される第一ブロックと、そのボックス本体のフィルム搬送方向の後端に着脱可能な状態で装着される第二ブロックを有し、
前記ボックス本体は、前記凹所の周囲の周壁内に上下に延びるように配置される複数の第一縦孔部と、その第一縦孔部の下端に接続され、両端が前記ボックス本体の前記前端及び前記後端に開口する貫通孔と、前記凹所に開口し上下に延びるように配置される第二縦孔部と、その第二縦孔部の下端に接続され、前記前端または前記後端の少なくとも一方に開口する横孔部とを備え、
前記第一ブロックと前記第二ブロックは、それぞれ配管部を有し、
前記第一ブロックと前記第二ブロックを装着した状態では、前記第一ブロックの配管部は、前記貫通孔と前記横孔部のいずれか一方とのみ繋がり、前記第一ブロックの配管部と繋がらない前記貫通孔或いは前記横孔部は前記第二ブロックの配管部と繋がるように構成し、
前記第一ブロックと前記第二ブロックを取り外した状態では前記貫通孔の両端が開口することを特徴とする真空チャンバー。
【請求項２】
前記貫通孔は、直線状に形成されることを特徴とする請求項１に記載の真空チャンバー。
【請求項３】
前記第一ブロックと、前記第二ブロックは、直方体状の外形を有し、
前記ボックス本体は、前記フィルム搬送方向の前端面の下方角部に第一切欠部を有し、前記フィルム搬送方向の後端面の下方角部に第二切欠部を有し、
前記第一ブロックは前記第一切欠部内に装着され、
前記第二ブロックは前記第二切欠部内に装着されるようにしたことを特徴とする請求項１または２に記載の真空チャンバー。
【請求項４】
前記第一縦孔部内には、吸引用のノズルを設けないことを特徴とする請求項１から３のいずれか１項に記載の真空チャンバー。
【請求項５】
前記第一ブロックの配管部と、前記第二ブロックの配管部のそれぞれに対し、大気開放用の空気を供給する通路を接続し、吸引が行われていない状態で前記大気開放用の空気を供給可能にしたことを特徴とする請求項１から４のいずれか１項に記載の真空チャンバー。
【発明の詳細な説明】
【技術分野】
【０００１】
本発明は、真空チャンバーに関するものである。
【背景技術】
【０００２】
各種の包装形態の一つとして、深絞り型包装体がある。深絞り型包装体は、被包装物を収納する収納凹部を有する容器本体と、その収納凹部内に被包装物を収納した状態でその容器本体の開口部を閉塞する蓋部材とを備えた構成を採る。係る構成の深絞り型包装体を製造する深絞り包装機は、以下のような構成をとる。
【０００３】
原反フィルムから連続して引き出された容器本体を形成するための下側フィルムを、水平方向に搬送する。この水平方向に搬送するフィルム搬送装置は、例えば下側フィルムの両端縁を搬送方向に延びるエンドレスチェーンに取り付けた爪部材により把持・クランプする構成をとる。エンドレスチェーンの回転に伴い爪部材も所定の軌跡で公転移動し、爪部にクランプされた下側フィルムを搬送する。
【０００４】
この下側フィルムの搬送途中に配置した成型装置にて、下側フィルムを真空吸引し、下側フィルムの所定位置に下側に突出する収納凹部を成型する。そして、成型装置の下流側の所定位置にて、収納凹部内に被包装物を自動或いは手動にて供給する。
【０００５】
一方、下側フィルムの搬送ラインの上方には、別の原反フィルムが設置されており、この原反フィルムから連続して蓋部材を形成するための上側フィルムが引き出され、その引き出された上側フィルムは、上記被包装物の供給地点の下流側所定位置にて下側フィルムの上に重ね合わす。
【０００６】
さらにこの両フィルムの重合地点の下流側には、真空チャンバーが配置され、この真空チャンバーにて下側フィルムに形成される収納凹部内の空気を吸引除去するとともに上側フィルムと下側フィルムの接触部位をシールする。これにより、被包装物が収納凹部内にて密封される。その後、真空チャンバーの下流側に配置されたカッター装置にて、両フィルムのシール部位をカットすることにより、個々の深絞り型包装体ごとに分離製造するようにしている。この種の深絞り包装機は、特許文献１等に開示されている。
【０００７】
上述した真空チャンバーは、下側フィルムと上側フィルムを挟んで上下に対向配置される下側ボックスと上側ボックスとを備え、両ボックスは、フィルムの搬送タイミングに合わせて昇降移動する。下側ボックスは、下側フィルムに形成された収納凹部が挿入される凹部を備えたボックス本体を備え、そのボックス本体の下側にシート状のパッキンを介してプレートを連結する。ボックス本体の下面並びにプレートの上面には、それぞれ所定のレイアウトの凹溝が形成され、当該凹溝の開放側に配置されるパッキンにより、凹溝の開放側は閉じられ、真空引きのための排気経路を構成する。さらに、ボックス本体の所定位置には、ボックス本体の凹部の底面や凹部を区画するための周壁の上面と、ボックス本体に形成した凹溝を繋ぐ連通孔が形成され、また、ボックス本体の凹溝の形成領域と、プレートの凹溝形成領域が重なるパッキンの所定位置には、両凹溝を繋ぐ孔部が形成される。さらに、プレートの下面所定位置には、凹溝に開口する開口部が形成され、その開口部に取り付けられたノズルから配管を経由して外部に配置される真空ポンプに繋がるように構成される。
【０００８】
上述した構成の真空チャンバーは、チャンバー本体に形成した排気経路を構成する凹溝と、プレートに形成した排気経路を構成する凹溝を分離するために両者の間にパッキンを介在させた状態で、プレートとチャンバー本体とを多数のボルトで締結し、チャンバー本体、パッキン、プレートの三層構造に形成する。多数のボルトを用いることで、パッキンの両面は、それぞれチャンバー本体とプレートに対して全面にわたり密着し、排気経路を形成する。
【０００９】
また真空ポンプが稼働すると、ボックス本体の凹部の底面に開口する貫通孔に繋がる凹溝による排気経路を介して下側フィルムの収納凹部の外面が吸引されて凹部の内周面に吸着され、周壁の上面に開口する貫通孔に繋がる凹溝による排気経路を介して収納凹部と上側フィルムとで囲まれる空間の空気が吸引される。そして、周壁の上面に開口する貫通孔内には、スプリング並びにそのスプリングの弾性復元力により上方に突出するノズルを設け、当該ノズルが上側フィルムを押し上げることで、収納凹部内の空気の吸引経路を構成する。
【先行技術文献】
【特許文献】
【００１０】
【特許文献１】特開２０１４−１１４０３６
【発明の概要】
【発明が解決しようとする課題】
【００１１】
例えば、使用に伴い、収納凹部に収納される製品のカスその他の異物が排気経路内に溜まることがあり、係る場合、排気経路の清掃を行う必要がある。当該清掃処理は、下側ボックスを真空チャンバー・包装機から取り外し、多数のボルトを取り外してチャンバー本体とプレートを分離し、排気経路を構成する凹溝を開放した状態で行う。そして、凹溝内の清掃が終わったら、再び、チャンバー本体とプレートの間にパッキンを介在させた積層状態にし、多数のボルトを締結して下側ボックスを再構成する。そして、係る再構成した下側ボックスを真空チャンバーに組み込む作業が必要となる。このように多数のボルトの着脱が煩雑であり、さらに、ボックス本体並びにプレートは金属で形成されて重量があるので、下側ボックス自体の真空チャンバーからの着脱作業も煩雑となる。
【００１２】
さらに、ボックス本体の周壁の貫通孔内にはノズルを押し上げるためのスプリング（コイルスプリング）が実装されているため、そのスプリングの部分に異物が入り込み、清掃がしにくいという問題も生じる。
【課題を解決するための手段】
【００１３】
上述した課題を解決するために、本発明の真空チャンバーは、（１）重ね合わされた下側フィルムと上側フィルムを挟んだ状態で対向配置される下側ボックスと上側ボックスを備えた深絞り包装機に用いられる真空チャンバーであって、前記下側ボックスは、前記下側フィルムに形成された収納凹部が挿入される凹所を備えたボックス本体と、そのボックス本体のフィルム搬送方向の前端に着脱可能な状態で装着される第一ブロックと、そのボックス本体のフィルム搬送方向の後端に着脱可能な状態で装着される第二ブロックを有し、前記ボックス本体は、前記凹所の周囲の周壁内に上下に延びるように配置される複数の第一縦孔部と、その第一縦孔部の下端に接続され、両端が前記ボックス本体の前記前端及び前記後端に開口する貫通孔と、前記凹所に開口し上下に延びるように配置される第二縦孔部と、その第二縦孔部の下端に接続され、前記前端または前記後端の少なくとも一方に開口する横孔部とを備え、前記第一ブロックと前記第二ブロックは、それぞれ配管部を有し、前記第一ブロックと前記第二ブロックを装着した状態では、前記第一ブロックの配管部は、前記貫通孔と前記横孔部のいずれか一方とのみ繋がり、前記第一ブロックの配管部と繋がらない前記貫通孔或いは前記横孔部は前記第二ブロックの配管部と繋がるように構成し、前記第一ブロックと前記第二ブロックを取り外した状態では前記貫通孔の両端が開口するようにした。
【００１４】
第一ブロックと第二ブロックは、ボックス本体の前端と後端に取り付けているので、簡単に着脱が行える。そして第一ブロックと第二ブロックを取り外すと、貫通孔の両端が開口する。よって、当該貫通孔の一方から例えば水その他の洗浄液を注入すると、貫通孔内に存在するゴミ・異物は簡単に洗い流され、外部に廃棄される。また、第一縦孔部内に異物が留まっている場合、第一縦孔部は上下に延びるように配置されるとともに、その下端は貫通孔に繋がっているので、第一縦孔部の上方の開口から洗浄液を流し込むことで、貫通孔内に落とし込み、その後、貫通孔に沿って外部に廃棄可能となる。よって、簡単に清掃できるので好ましい。第一ブロックと第二ブロックは、ボックス本体を包装機に取り付けた状態のまま着脱できるようにすると、より好ましい。
【００１５】
（２）前記貫通孔は、直線状に形成されるようにするとよい。このようにすると、貫通孔内に溜まった異物を簡単に排除できるので良い。
【００１６】
（３）前記第一ブロックと、前記第二ブロックは、直方体状の外形を有し、前記ボックス本体は、前記フィルム搬送方向の前端面の下方角部に第一切欠部を有し、前記フィルム搬送方向の後端面の下方角部に第二切欠部を有し、前記第一ブロックは前記第一切欠部内に装着され、前記第二ブロックは前記第二切欠部内に装着されるようにするとよい。このようにすると、凹所は、下側ボックスの上面のほぼ全面を利用して配置・形成することができ、また、第一ブロックと第二ブロックを各切欠部内に収納することで下側ボックスの全体の形状もコンパクトに抑えることができるので良い。
【００１７】
（４）前記第一縦孔部内には、吸引用のノズルを設けないようにするとよい。このようにノズルレスタイプとするとで、第一縦孔部内の清掃が良い効率よく簡易かつ綺麗に行うことができるので良い。
【００１８】
（５）前記第一ブロックの配管部と、前記第二ブロックの配管部のそれぞれに対し、大気開放用の空気を供給する通路を接続し、吸引が行われていない状態で前記大気開放用の空気を供給可能とするとよい。このようにすると、シール後に迅速に大気開放することができ、高速処理に対応できるので良い。
【発明の効果】
【００１９】
本発明によれば、清掃の準備のために第一ブロックと第二ブロックを取り外す作業は、従来に比べて簡単であり、取り外した後は貫通孔の両端が開放状態になるので簡単に洗い流すことができ、清掃が容易に行える。
【図面の簡単な説明】
【００２０】
【図１】本発明に係る深絞り包装機の好適な一実施形態を示す正面図である。
【図２】真空チャンバーを示す斜視図である。
【図３】（ａ）は下側ボックスを構成するボックス本体の平面図であり、（ｂ）はその左側面図であり、（ｃ）はその右側面図である。
【図４】（ａ）はその底面図であり、（ｂ）は（ａ）にかけるＣ−Ｃ断面でである。
【図５】（ａ）は図３（ａ）におけるＢ−Ｂ断面図であり、（ｂ）は図３（ａ）におけるＡ−Ａ断面である。
【図６】（ａ）は第一ブロック４０の底面図であり、（ｂ）はその右側面図であり、（ｃ）はその左側面図であり、（ｄ）はＤ−Ｄ線断面図である。
【図７】（ａ）は第二ブロック４１の底面図であり、（ｂ）はその右側面図であり、（ｃ）はその左側面図であり、（ｄ）はＥ−Ｅ線断面図であり、（ｄ）はＦ−Ｆ線断面図である。
【図８】変形例を説明する図である。
【発明を実施するための形態】
【００２１】
以下、本発明の好適な実施形態について図面に基づき、詳細に説明する。なお、本発明は、これに限定されて解釈されるものではなく、本発明の範囲を逸脱しない限りにおいて、当業者の知識に基づいて、種々の変更、修正、改良を加え得るものである。
【００２２】
図１，図２は、本発明に係る深絞り包装機の好適な一実施形態を示している。本実施形態の深絞り包装機は、上流側に配置される下側フィルム供給装置１０と、下側フィルム供給装置１０から供給される下側フィルム１２を水平方向に搬送するフィルム搬送装置１３と、フィルム搬送装置１３の搬送途中の上流側に配置した成型装置１４と、その成型装置１４の下流側に配置する被包装物供給部（図示省略）と、フィルム搬送装置１３の上方所定位置に配置される上側フィルム供給装置１５と、その上側フィルム供給装置１５から供給される上側フィルム１６が下側フィルム１２の上に被せる被覆点より下流側に順に配置される真空チャンバー１７、横カッター装置１８、縦カッター装置１９等を備える。
【００２３】
下側フィルム供給装置１０は、帯状の下側フィルム１２をロール状に巻き取った原反ロール２０を支持する回転支持軸２１と、その回転支持軸２１と一体に回転する原反ロール２０から引き出される下側フィルム１２を所定の軌跡で繰り出してフィルム搬送装置１３に供給する機構を備える。
【００２４】
フィルム搬送装置１３は、下側フィルム１２の両側縁の外側に配置された左右一対のエンドレスチェーン１３ａと、そのエンドレスチェーン１３ａに取り付けられた多数の爪部材１３ｂとを備え、その爪部材１３ｂにて下側フィルム１２の長手方向の両側縁を掴んだ状態で間欠的に搬送する。
【００２５】
このフィルム搬送装置１３の搬送途中の上流側には、成型装置１４が配置される。この成型装置１４は、下側フィルム１２の所定位置に下側に突出する収納凹部１２ａを成型する装置である。この成型装置１４は、下側フィルムを挟んで上下に配置された上側ボックス１４ａと下側ボックス１４ｂを有している。そして、下側ボックス１４ｂ内に、下側フィルム１２に形成する収納凹部１２ａの外形状に符合する内形状に加工された雌型を配置する。一方、上側ボックス１４ａ内には、熱板が内蔵され、上側ボックス１４ａと下側ボックス１４ｂ間で挟み込まれた下側フィルム１２のフィルム部位を加熱軟化させる。そして、係る挟み込んだ状態で、例えば下側ボックス１４ｂ内を真空吸引し、下側フィルム１２の所定のフィルム部位が雌型の内周面に密着し、その内周面の形状に成型されて収納凹部１２ａを成型する。本形態では、下側ボックス１４ｂは、横に２個の凹所を備え、一回の成型処理で、下側フィルム１２に対して横一列に２個の収納凹部１２ａを成型するようにしている。
【００２６】
被包装物供給部は、成型装置１４で形成された収納凹部１２ａ内に被包装物を供給するエリアであり、例えば、図示省略する被包装物供給装置が配置される。この被包装物供給装置は、収納凹部１２ａ内に被包装物を自動供給するもので、例えば、移し替えロボットから構成し、移し替えロボットのマニピュレータとして吸着手段を備える。そして、その吸着手段により、フィルム搬送装置１３の横に待機する被包装物群から、所定の被包装物を吸着保持するとともに所定軌跡で移動し、被包装物を収納凹部１２ａ内に供給する。なお、被包装物供給装置に替えて、人手による供給としても良い。さらに本実施形態では、被包装物は、例えば鮭その他の魚の切り身・半身などである。
【００２７】
上側フィルム供給装置１５は、帯状の上側フィルム１６をロール状に巻き取った原反ロール２２を支持する回転支持軸２３と、その回転支持軸２３と一体に回転する原反ロール２２から引き出される上側フィルム１６を所定の軌跡で繰り出してフィルム搬送装置１３で搬送される下側フィルム１２上に重ね合わせるように供給するための複数のローラ２４等を備える。図示省略するが、例えば、上側フィルム１６の移動軌跡の途中に、印字装置が配置される。印字装置は上側フィルム１６の所定位置に、被包装物の製造年月日や賞味期限などを印字するものである。
【００２８】
真空チャンバー１７は、下側フィルム１２と上側フィルム１６の所定位置、つまり、収納凹部１２ａの周囲の両フィルム１２，１６の接触部位を上下から挟み込むとともに加熱して熱シールする。これにより、被包装物が収納凹部１２ａ内に密封される。さらにこの真空チャンバー１７は、収納凹部１２ａ内の空気を吸引除去する機能を備え、両フィルム１２，１６を熱シールする前に収納凹部１２ａ内の空気を吸引除去することで、被包装物が収納凹部１２ａ内にて真空状態で密封する。この真空チャンバー１７の具体的な構成は後述する。
【００２９】
横カッター装置１８は、フィルムを挟んで上下に配置されるカッター刃１８ａと、受け板１８ｂと、を備える。それらカッター刃１８ａ，受け板１８ｂはそれぞれに連係させたエアシリンダ１８ｃによりタイミングを合わせて昇降移動するように構成される。この横カッター装置１８は、押し切りカッターであり、カッター刃１８ａの刃部の形状に沿って下側，上側フィルム１２，１６が切断される。そして、カッター刃は、下側，上側フィルムを横方向（搬送方向に対して直交する方向）に切断するための直線状の刃部を備え、また、最終的な包装体における角に丸みを形成するためのＲカット用の刃部を備えるようにしてもよい。
【００３０】
縦カッター装置１９は、フィルムの搬送方向に対して直交する方向に回転軸を有する上下一対の円盤型のカッター１９ａを複数組備え、上下のカッター１９ａにて下側，上側フィルム１２，１６を挟み込むことで搬送方向に対して平行にカットする。縦カッター装置１９を通過すると、収納凹部１２ａの周囲が縦横に切断されて、個々の包装体が製造される。また下側，上側フィルム１２，１６の左右両側縁は、縦カッター装置１９にてカットされて分離される。そして、その分離された両側縁は、巻き取りローラ２７に巻き取られるようにしている。
【００３１】
真空チャンバー１７は、下側，上側フィルム１２，１６を挟んで上下に対向配置される下側ボックス３１と上側ボックス３２とを備え、下側ボックス３１は、フィルムの搬送タイミングに合わせて昇降移動する。下側ボックス３１は、上部開放した箱状のボックス本体３３を備える。ボックス本体３３は、成型装置１４の下側ボックス１４ｂと同様にその上面側にフィルムの搬送方向に対して直交する左右方向に２個の凹所３５を備える。凹所３５は、シール処理工程の際に、成型装置１４で形成された下側フィルム１２の収納凹部１２ａが挿入配置される。さらにボックス本体３３の上面、すなわち、凹所３５の周囲に配置される周壁３６の上面には、受けゴム３７を貼着する。
【００３２】
一方、上側ボックス３２は、図示省略するが上側ボックス本体３２ａの下面側に凹所を有し、その凹所内に昇降可能に配置される加熱板を備える。加熱板の昇降は、例えば、シンダー等の駆動手段により上側ボックス本体３２ａに対して相対的に昇降する。
【００３３】
そして、下側ボックス３１を上昇させて上側ボックス本体３２ａに近接させ、収納凹部１２ａ内の空気を吸引除去したのちに加熱板を下降させることで下側，上側フィルム１２，１６を上下から挟み込む。より具体的には、加熱板の下面と、それに対向するボックス本体３３の上面に設けた受けゴム３７との間でフィルムを挟み込む。なお、上側ボックス３２は、昇降する構成をとるのも良い。
【００３４】
加熱板は、例えばアルミ等の熱伝導性の良好な材料から構成され、内蔵するヒータにより所定の温度に加熱される。そして、上述したように上側ボックス３２と下側ボックス３１との間で下側，上側フィルム１２，１６を挟んだ状態では、下降した加熱板がフィルムに接触して当該フィルムを加熱する。特に、受けゴム３７との間で挟み込んだフィルム部位は加熱・加圧されるため、下側，上側フィルム１２，１６の当該フィルム部位が熱シールされる。
【００３５】
下側ボックス３１は、上面側に凹所３５を備えるボックス本体３３と、そのボックス本体３３の下方の前後両端角部に装着した第一ブロック４０，第二ブロック４１を備える。具体的には、ボックス本体３３の下面のフィルムの搬送方向に沿って前後両端の角部に、それぞれ第一切欠部３８と第二切欠部３９を設ける。第一切欠部３８と第二切欠部３９は、共に搬送方向に対して直交する横方向に横断するように全長に渡り矩形状に切り取られた形状となる。第一切欠部３８の空間内に第一ブロック４０を着脱自在に装着し、第二切欠部３９の空間内に第二ブロック４１を着脱自在に装着する。第一ブロック４０と第二ブロック４１は、共に略直方体状の外形となり、それら第一ブロック４０と第二ブロック４１をボックス本体３３に装着した状態では、下側ボックス３１の外形状は、略矩形状となる。
【００３６】
そして下側ボックス３１は、下側フィルム１２の収納凹部１２ａ内を真空にするために脱気処理を行うための第一排気経路と、下側ボックス３１の凹所３５内の空気を脱気処理するための第二排気経路等を備える。具体的には、以下の通りである。
【００３７】
上述したごとくボックス本体３３の上面は、フィルム搬送方向に沿う方向に長辺が配置される長方形状であり、中央から左右に二分割されて２つの凹所３５を備える。そしてその凹所３５の周囲の周壁３６のうち、ボックス本体３３の左右の長辺に位置する周壁３６には、上下方向に延びる第一縦孔部４３を複数備える。図示省略するが、各第一縦孔部４３内には、スプリングの弾性復元力を利用してボックス本体３３の上面よりも上方に突出可能とする吸引ノズルを備える。突出した状態の吸引ノズルが、下側フィルム１２に形成した開口部内を通過し、上側フィルム１６を押し上げて下側フィルム１２と上側フィルム１６の間に進入し、両フィルム間の空気、すなわち、収納凹部１２ａ内の空気の吸い込み口となる。
【００３８】
各周壁３６にそれぞれ設けた複数の第一縦孔部４３は、同一直線上に配置される。第一縦孔部４３の上端は、周壁３６の上面に開口し、第一縦孔部４３の下端は、周壁３６内の所定位置にあり、ボックス本体３３の下面には開口していない。さらにボックス本体３３の左右両側縁付近には、搬送方向に沿って平行な方向に延びる第一貫通孔４６を備える。第一貫通孔４６の両端は、それぞれ第一切欠部３８と第二切欠部３９の垂直面に開口する。さらに、第一縦孔部４３の下端は、第一貫通孔４６に開口し、連通する。これにより、ボックス本体３３の周壁３６の上面に設けた第一縦孔部４３の開口と、第一貫通孔４６の両端の開口は、それら第一縦孔部４３と第一貫通孔４６を経由して空間的につながる。
【００３９】
またボックス本体３３には、その凹所３５の底面に開口し、上下方向に延びる第二縦孔部４４を備える。本形態では、第二縦孔部４４は、各凹所３５に１個ずつ配置する。各第二縦孔部４４は、搬送方向に沿って後側の第二切欠部３９に近い位置に形成する。第二縦孔部４４の下端は、ボックス本体３３の下面には開口していない。一方、ボックス本体３３の内部の下方所定位置には、搬送方向に沿って平行な方向に延びる第一横孔部４７を備える。その第一横孔部４７の一端は第二切欠部３９の垂直面に開口し、他端は第二縦孔部４４の下端に繋がるように形成する。これにより、ボックス本体３３の凹所３５に設けた第二縦孔部４４の開口と、第一横孔部４７の一端の開口は、それら第二縦孔部４４と第一横孔部４７を経由して空間的につながる。さらに本形態では、凹所３５の底面に、所定パターンで形成される凹溝４５を備え、第二縦孔部４４の開口は、その凹溝４５内に配置する。所定パターンは、搬送方向に沿って平行な部位と、搬送方向に対して直交する方向に延びる部位を有し、両部位は、交差するレイアウトをとり、各部位のどの位置も第二縦孔部４４の開口に繋がるようにしている。
【００４０】
第一ブロック４０は、中心を長手方向に延びるように第三貫通孔５０を備える。この第三貫通孔５０の両端は、第一ブロック４０の長手方向の両側面４０ａに開口するが、その開口部位に蓋部材５１を装着して閉塞する。さらに第一ブロック４０は、第三貫通孔５０と繋がる複数の配管部を備える。その複数の配管部は、第三貫通孔５０と直交するとともに、水平方向に延び、ボックス本体３３の第一切欠部３８の垂直面に対向する面４０ｂに開口する第一配管部５２と、垂直方向に延び、第一切欠部３８に対向しない面４０ｃ（下側ボックス３１の底面）に開口する第二配管部５３を備える。第一ブロック４０を第一切欠部３８に装着した状態では、第一配管部５２は、第一貫通孔４６に対向して連通する。そして、第一排気経路は、第一縦孔部４３、第一貫通孔４６、第一配管部５２、第三貫通孔５０並びに第二配管部５３を備えて構成される。
【００４１】
同様に第二ブロック４１は、中心を長手方向に延びるように第四貫通孔５５を備える。この第四貫通孔５５の両端は、第二ブロック４１の長手方向の両側面４１ａに開口するが、その開口部位に蓋部材５６を装着して閉塞する。さらに第二ブロック４１は、第四貫通孔５５と繋がる複数の配管部を備える。その複数の配管部は、第四貫通孔５５と直交するとともに、水平方向に延び、ボックス本体３３の第二切欠部３９の垂直面に対向する面４１ｂに開口する第三配管部５７と、垂直方向に延び、第二切欠部３９に対向しない面４１ｄ（下側ボックス３１の底面）に開口する第四配管部５８を備える。第二ブロック４１を第二切欠部３９に装着した状態では、第四配管部５８は、第一横孔部４７に対向して連通し、第一貫通孔４６の開口部は第二ブロック４１の面４１ｂに対向し閉塞される。そして、第二排気経路は、第二縦孔部４４、第一横孔部４７、第三配管部５７、第四貫通孔５５並びに第四配管部５８を備えて構成される。
【００４２】
第二配管部５３並びに第四配管部５８は、それぞれ図示省略する外部配管等を介して真空ポンプに接続される。外部配管の途中には開閉バルブ等を備え、真空ポンプを動作させるとともに開閉バルブを開くと、第一排気経路を介して、上側フィルム１６と下側フィルム１２の間の空気、すなわち、収納凹部１２ａ内の空気が吸引除去され、第二排気経路を介して凹所３５内の空気を吸引除去し、下側フィルム１２と凹所３５で囲まれる空間を脱気する。
【００４３】
さらに図示省略するが、本実施形態では上側ボックス３２側にも当該上側ボックス３２内の空気を脱気処理するための排気経路を備え、その排気経路を外部の真空ポンプに接続する。そして、上記の下側ボックス３１側で吸引処理するタイミングに合わせて上側ボックス３２側も吸引処理し、上側フィルム１６と上側ボックスの凹所で囲まれる空間を脱気する。
【００４４】
これにより、下側フィルム１２の収納凹部１２ａ内の空気が除去され、被包装物・収納凹部１２ａが潰れること無く下側フィルム１２の収納凹部１２ａ並びに上側フィルム１６が被包装物の表面に密着する。この状態で、加熱板を下降して下側フィルム１２と上側フィルム１６の所定部位をシールし、密封する。この密封シールした後に、真空チャンバー１７内を大気開放し、下側ボックス３１が下降移動して収納凹部１２ａよりも下方に位置させ、次の真空処理のために待機する。
【００４５】
ここで本形態では、下側ボックス３１に大気開放用経路を備え、真空引きを停止したら、大気開放用経路を介して空気を送り、積極的に大気開放するようにしている。すなわち、従来の真空チャンバーは、本実施形態のように大気開放用経路は特に設けず、真空引きを終了したら自然に大気開放するようにした。本実施形態では、被包装物が例えば鮭の切り身のように比較的大きいために凹所３５の寸法形状が比較的大きくなるとともに、高速化対応のために１回の処理にかけられる時間が短いことも相俟って、真空引きを停止して自然の大気開放では間に合わないおそれがある。そこで、大気開放用経路に例えば空気を噴射するポンプを接続し、適宜のタイミングで当該ポンプから圧縮空気等を噴射すると、大気開放用経路を経由して下側ボックス３１内に空気が送り込まれ、瞬時に大気開放できるようにした。
【００４６】
この大気開放用経路は、第一搬送経路と第二排気経路のそれぞれに接続するように設け、周壁３６の上面に設けた第一縦孔部４３の開口と、凹所３５に設けた第二縦孔部４４の開口のいずれからも空気を噴射し、大気開放を促すようにしている。具体的には、第一搬送経路に繋がる大気開放経路は、第一ブロック４０の第三貫通孔５０に接続し、第一配管部５２と同様に水平方向に延びてボックス本体３３の第一切欠部３８の垂直面に対向する面に開口する第五配管部６０を備える。一方、ボックス本体３３側には、第一ブロック４０を装着した状態で第五配管部６０に対向する位置に開口する第二横孔部６１を設け、その第二横孔部６１の奥側に連通し、下方に向けて延びる第三縦孔部６２を設ける。第三縦孔部６２の先端は、ボックス本体３３の下面に開口する。この第三縦孔部６２の開口部に、圧縮空気を噴射するポンプの配管を連結する。すると、当該ポンプから噴射された空気は、第三縦孔部６２から第二横孔部６１を介して第三貫通孔５０に至り、第一排気経路を逆流して第一縦孔部４３の開口から噴射される。
【００４７】
また第二搬送経路に繋がる大気開放経路は、第二ブロック４１の第四貫通孔５５に接続し、第三配管部５７と同様に水平方向に延びてボックス本体３３の第二切欠部３９の垂直面に対向する面に開口する第六配管部６５を備える。一方、ボックス本体３３側には、第二ブロック４１を装着した状態で第六配管部６５に対向する位置に開口する第三横孔部６６を設け、その第三横孔部６６の奥側に連通し、下方に向けて延びる第四縦孔部６７を設ける。第四縦孔部６７の先端は、ボックス本体３３の下面に開口する。この第四縦孔部６７の開口部に、圧縮空気を噴射するポンプの配管を連結する。すると、当該ポンプから噴射された空気は、第四縦孔部６７から第三横孔部６６を介して第四貫通孔５５に至り、第二排気経路を逆流して第二縦孔部４４の開口から噴射される。
【００４８】
ところで、真空チャンバー１７は、定期的・不定期的に清掃が必要となる。特に、本形態のように被包装物が鮭その他の魚の切り身・半身であるため、第一排気経路からの吸引により、塩分と鱗等の製品のカスが第一排気経路にたまることがあり、清掃するサイクルは短くなる傾向にある。本実施形態では、係る清掃を行う場合、以下のようにする。
【００４９】
まず、上述したように、第一ブロック４０と第二ブロック４１は、ボックス本体３３に対して着脱自在に固定されている。第一ブロック４０のボックス本体３３への固定は、ボルトを用いて行う。すなわち、第一ブロック４０には、ボルト（図示省略）を通すためのフィルムの搬送方向に沿って平行な孔部６９を備える。第一ブロック４０の第一切欠部３８と対向しない表面の所定位置には、切欠凹部７０を形成する。孔部６９は、切欠凹部７０の奥面に開口し、切欠凹部７０の幅はボルトの頭部よりも大きくする。ボルトを孔部６９内に挿入し、ボルトの先端に形成した雄ねじ部７４と、ボックス本体３３に形成した雌ねじ部を噛み合わせて締結することで、第一ブロック４０をボックス本体３３に固定する。ボルトを取り外すことで、第一ブロック４０は、ボックス本体３３から離脱する。
【００５０】
同様に、第二ブロック４１のボックス本体３３への固定は、ボルトを用いて行う。すなわち、第二ブロック４１には、ボルト（図示省略）を通すためのフィルムの搬送方向に沿って平行な孔部７２を備える。第二ブロック４１の第二切欠部３９と対向しない表面の所定位置には、切欠凹部７３を形成する。孔部７２は、切欠凹部７３の奥面に開口し、切欠凹部７３の幅はボルトの頭部よりも大きくする。ボルトを孔部７２内に挿入し、ボルトの先端に形成した雄ねじ部と、ボックス本体３３に形成した雌ねじ部７５を噛み合わせて締結することで、第二ブロック４１をボックス本体３３に固定する。ボルトを取り外すことで、第二ブロック４１は、ボックス本体３３から離脱する。
【００５１】
そこで清掃に先立ち、各ボルト，７１を取り外し、第一ブロック４０と第二ブロック４１をそれぞれボックス本体３３から離脱させる。すると、第一貫通孔４６の両端が開放した状態となる。そして、第一貫通孔４６は直線状であるので、例えば、一方の開口から洗浄水を流し込むと、第一貫通孔４６内にたまった製品のカス等の異物は洗浄水と共に流れ、他方の開口から排出することができ、簡単に掃除することができる。また、例えば第一縦孔部４３内に製品のカス等の異物が留まったとしても、上方から洗浄水を流し込むことで、簡単に第一貫通孔４６内に落とし込むことができる。そして、係る第一貫通孔４６内の異物は、当該第一貫通孔４６内を簡単に洗浄して除去できる。
【００５２】
また、本実施形態では、第一横孔部４７は、第二切欠部３９側にのみ開口した状態であるが、第二縦孔部４４を第二切欠部３９の近くに配置し、第一横孔部４７の奥行きが短いため、第一横孔部４７の開口側から洗浄液を吹き付けることで簡単に洗浄ができる。さらに、第一横孔部４７は、凹所３５に繋がるものであり、被包装物の塩分と鱗等の製品のカスが進入しないため、そもそも第一貫通孔４６に比べて洗浄の必要性も低い。なお、この第一横孔部４７も第一貫通孔４６と同様に両端を開口させるようにしても良い。
【００５３】
また、各ボルト，７１は、それぞれ６本ずつ用いて第一ブロック４０，第二ブロック４１を固定するので、従前のボックス本体の下面側にプレートを固定する構造にものに比べて本数は少なく、しかも、ボルト，７１は、ボックス本体３３を包装機に設置した状態のまま緩めたり、締めたりすることができるので、第一ブロック４０と第二ブロック４１の解除・固定作業が簡易となるので良い。
【００５４】
さらに、上記の洗浄は、ボックス本体３３を包装機にセットした状態のまま行えるので、従来のように非常に重いボックス本体３３を取り外したり、再セットしたりする作業も不要となるので、より好ましい。
【００５５】
また、第一ブロック４０や第二ブロック４１内の経路に各種の異物が留まっている場合には、当該ブロックはボックス本体３３に比べると小さく、軽量であるため、取り外した状態で適宜に向きを変えるなどして水洗い等することで除去できる。そして、清掃が終了後は、第一ブロック４０と第二ブロック４１を、それぞれ第一切欠部３８と第二切欠部３９にセットした状態でボルトを用いて締結・固定する。
【００５６】
さらに本実施形態では、第一ブロック４０と第二ブロック４１の所定部位、すなわち、ボックス本体３３の第一切欠部３８，第二切欠部３９の垂直面に配置した第一貫通孔４６並びに各横孔部の開口に対向する部位には、開口の内径と同等か一回り大きい内径を有する環状のパッキン８１を設けている。このパッキン８１を設けることで、接続面における空気漏れを阻止し、各ブロックの配管と繋がる部分では、脱気処理や大気開放用の空気の流入を確実に行えるとともに、第一貫通孔４６の第二ブロック４１側の開口は、確実に閉塞することができるようにしている。
【００５７】
上述した実施形態では、第一貫通孔４６は、搬送方向に沿って水平に形成したが、本発明はこれに限ることは無く、水平方向や垂直方向に傾斜させても良く、さらには必ずしも直線で無くても良い。第一貫通孔４６の両端を開口することで、例えば一方から洗浄水を流し込むと、必ずしも直線で無くても異物を排出することができる。また、垂直方向に傾斜を設けると、高い方の開口から洗浄水を流し込むことでより効果的に洗浄できるので良い。
【００５８】
上述した実施形態では、第一縦孔部４３内に吸引ノズルを実装したが、本発明はこれに限ることは無く、吸引ノズルを設けないようにしても良い。例えば、図８に示すように、第一縦孔部４３を設ける周壁３６の上面に、凹溝８０を設け、第一縦孔部４３の開口は、凹溝８０の奥面に配置する。下側フィルム１２の所定位置には、環状のスリット等が形成されており、第一縦孔部４３からの吸引が行われると、環状のスリット等で囲まれるフィルム部分１２ｂが吸い込まれて開口し、その開口した部位から収納凹部１２ａ内の空気が吸引除去される。
【００５９】
実施形態のように吸引ノズルを設けた場合、当該吸引ノズルを上方に付勢するスプリングが実装されることになる。このスプリングの部分にゴミがたまると掃除がしにくくなるが、本形態のようにノズルレスにすることで、ゴミが溜まりにくく、また溜まっても簡単に流して洗浄することができるので良い。
【００６０】
上述した実施形態では、強制的に大気開放する機能を備えたが、本発明はこれに限ることは無く、当該機能を設けない構成としても良い。特に、凹所の寸法形状が比較的小さかったり、処理速度に高速性が要求されなかったりするような場合には、当該機能を設けずに簡単な構成とすると良い。
【００６１】
また、本発明は清掃の容易さを主な解決課題としたため、下側ボックスは、ボックス本体と、その前後に装着した第一ブロック４０と第二ブロック４１を備え、第一ブロック４０と第二ブロック４１を取り外した状態では、ボックス本体に設けた貫通孔の両端が開放するようにした。一方、高速性に対応することなどを主な解決課題とした発明において、強制的に大気開放する機能を備える真空チャンバーとした場合、上述した実施形態に限ることは無く、例えば従来の下側ボックスの構成を前提とするなど各種の構成に適用できる。
【００６２】
以上、本発明の様々な側面を実施形態並びに変形例を用いて説明してきたが、これらの実施形態や説明は、本発明の範囲を制限する目的でなされたものではなく、本発明の理解に資するために提供されたものであることを付言しておく。本発明の範囲は、明細書に明示的に説明された構成や製法に限定されるものではなく、本明細書に開示される本発明の様々な側面の組み合わせをも、その範囲に含むものである。本発明のうち、特許を受けようとする構成を、添付の特許請求の範囲に特定したが、現在の処は特許請求の範囲に特定されていない構成であっても、本明細書に開示される構成を、将来的に特許請求する可能性があることを、念のために申し述べる。
【符号の説明】
【００６３】
１２  下側フィルム
１２ａ  収納凹部
１６  上側フィルム
１７  真空チャンバー
３１  下側ボックス
３２  上側ボックス
３３  ボックス本体
３５  凹所
３６  周壁
３８  第一切欠部
３９  第二切欠部
４０  第一ブロック
４１  第二ブロック
４３  第一縦孔部
４４  第二縦孔部
４６  第一貫通孔
４７  第一横孔部
５０  第三貫通孔（配管部）
５２  第一配管部（配管部）
５３  第二配管部（配管部）
５５  第四貫通孔（配管部）
５７  第三配管部（配管部）
５８  第四配管部（配管部）
６０  第五配管部（大気開放用の通路）
６１  第二横孔部（大気開放用の通路）
６２  第三縦孔部（大気開放用の通路）
６５  第六配管部（大気開放用の通路）
６６  第三横孔部（大気開放用の通路）
６７  第四縦孔部（大気開放用の通路）
【図１】
2019014522.tif 000003
【図２】
2019014522.tif 000004
【図３】
2019014522.tif 000005
【図４】
2019014522.tif 000006
【図５】
2019014522.tif 000007
【図６】
2019014522.tif 000008
【図７】
2019014522.tif 000009
【図８】
2019014522.tif 000010